(57)【要約】【課題】撮影室内に位置する被撮影者を適切なる拡散光（連続階調のやわらかい）で選択的に照明することにより、観察上、良好なる品質の人物写真を容易に得ることができる写真撮影装置を得ること。【解決手段】ボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、該撮影室には、該被撮影者を照明する複数の照明手段と、該撮影室内において種々の照明条件で撮影した複数の写真データと、該複数の照明手段の照明条件を変えて、該撮影室内の照明条件を変える為の入力手段と、が設けられていることを特徴とする写真撮影装置。【選択図】        図１
2004271961.tif 000002
【特許請求の範囲】
【請求項１】
ボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、
該撮影室には、該被撮影者を照明する複数の照明手段と、
該撮影室内において種々の照明条件で撮影した複数の写真データを表示する表示手段と、該複数の写真データを参照して、該撮影室内の照明条件を変える為の入力信号を入力する入力手段と、が設けられていることを特徴とする写真撮影装置。
【請求項２】
前記複数の照明手段のうち少なくとも１つの照明手段は、発光部と該発光部から放射される光束を拡散透過させる拡散部材と、該拡散部材の光入射側又は／及び光出射側に光束の一部を遮光する遮光部材とを有しており、該複数の照明手段からの光の出射方向を制御して、該撮影室内の撮影空間の照度分布が非対称となるように設定していることを特徴とする請求項１の写真撮影装置。
【請求項３】
前記複数の照明手段は、前記撮影室内の被撮影者の位置を基準としたとき、左右方向に非対称に配置し、該撮影室内の撮影空間の照度分布が非対称となるように設定していることを特徴とする請求項１又は２の写真撮影装置。
【請求項４】
前記照明手段は１以上のストロボを有し、該ストロボの光出射側には１以上の光拡散板とＮＤフィルターが設けられていることを特徴とする請求項１、２又は３の写真撮影装置。
【請求項５】
前記入力手段からの入力信号により、前記複数の照明手段の照明条件を変えて、前記撮影室内の照度分布を切り換える制御手段を有していることを特徴とする請求項１から４のいずれか１項の写真撮影装置。
【請求項６】
前記複数の照明手段のうちの１つの照明手段は、前記撮影室の天井に設けられており、該天井に設けられた照明手段は、複数の発光部と拡散部材とを有し、該複数の発光部のうち１以上の発光部は、光出射面が前記仕切板方向に向いて配置され、他の１以上の発光部は光出射面が天井方向に向けられて配置され、該複数の発光部からの光は一度仕切板又は／及び天井壁で反射した後、該拡散部材を介して被撮影者を照明していることを特徴とする請求項１から５のいずれか１項の写真撮影装置。
【請求項７】
前記複数の照明手段のうちの１つの照明手段は、前記撮影室の天井に設けられており、該天井に設けられた照明手段は、複数のストロボと拡散部材とを有し、該複数のストロボのうち２つのストロボは、光出射面が前記仕切板方向に向いて配置され、１以上のストロボは光出射面が天井方向に向けられて配置され、該複数のストロボからの光は一度仕切板又は／及び天井壁で反射した後、該拡散部材を介して被撮影者を照明していることを特徴とする請求項１から５のいずれか１項の写真撮影装置。
【請求項８】
ボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、
該撮影室には、該被撮影者を照明する複数の照明手段が設けられており、このうち少なくとも１つの照明手段は、発光部と該発光部から放射される光束を拡散透過させる拡散部材と、該拡散部材の光入射側又は／及び光出射側に光束の一部を遮光する遮光部材とを有しており、該複数の照明手段からの光の出射方向を制御して、該撮影室内の撮影空間の照度分布が非対称となるように設定していることを特徴とする写真撮影装置。
【請求項９】
ボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、該撮影室には、該被撮影者を照明する複数の照明手段が設けられており、該複数の照明手段は、該撮影室内の被撮影者の位置を基準としたとき、左右方向に非対称に配置し、該撮影室内の撮影空間の照度分布が非対称となるように設定していることを特徴とする写真撮影装置。
【発明の詳細な説明】
【０００１】
【発明の属する技術分野】
本発明は、ボックス内の被撮影者を自動撮影するための自立ボックス型の写真撮影装置（証明写真装置）に関し、特に被撮影者の照明条件を適切に設定することにより、観察上良好なる品質の静止画の照明写真が得られるものである。
【０００２】
【従来の技術】
従来より、身分証明書、会員証、パスポート、運転免許証、学生証用等の証明写真を得る又、プリクラと呼称する簡易な写真を得る自動販売機タイプの写真撮影装置が種々と提案されている（例えば特許文献１〜３）。
【０００３】
この種の写真撮影装置は、自立型のボックス（ブース）に被撮影者が占有する空間（撮影室）と、撮影に必要な各種の機器が収納される空間（機器格納室）が仕切板によって形成されている。又、プリクラタイプの場合は、一般的に簡単なビニールシートにより撮影室は仕切られている。
【０００４】
ボックス内に配置する撮影に必要な機器としては、例えば被撮影者を照明する照明手段、被撮影者を撮影する為の撮影手段（ＣＣＤカメラ、デジタルカメラ）、撮影手段で撮影した画像情報をプリント処理（画像処理）する為のプリント手段、プリント手段でプリントされた照明写真をボックス外部に設けた写真取り出し口に出力する出力手段、そして各種の手段を制御する制御手段（マイコン）等が含まれる。
【０００５】
ボックス型とプリクラのような簡易ボックス型に分けると、ボックス型は被撮影者が、ボックスの撮影室内の椅子に座り、入力手段で撮影に関する各種の情報（例えば撮影枚数、写真の大きさ、形状等）を入力する。
【０００６】
そして制御手段は、入力手段の入力情報に基づいて被撮影者の主に顔を中心とする正面向き上半身像を撮影し、その結果得られた証明写真を写真取り出し口に出力する。
【特許文献１】
特開２００２−２８１３２６
【特許文献２】
特開２００２−０２３２５６
【特許文献３】
特開２００１−２０９１１６
【０００７】
【発明が解決しようとする課題】
従来のボックス型の写真撮影装置では、被撮影者の正面向き上半身像を撮影しており、このときの被撮影者を照明する照明手段は、光源の種類、数、光束発散状態等の照明条件が予め制御手段で特定されていた。このときの被撮影者を照明する為の照明光の光質やそれらの組み合わせ、そしてライティング方式等の照明条件は良質な証明写真を得る為の条件として、被撮影者に対して十分配慮されていなかった。
【０００８】
この為、現在市場に存在するボックス型の自動写真撮影装置の多くで得られる写真は、その写真の人像写真としての品質において写真撮影業者が営業する技術で撮影した写真に比較し、品質が著しく劣っていた。
【０００９】
又撮影室内の照明条件は、一定であり被撮影者は自分の好みに合った写真を得ることができなかった。
【００１０】
本発明は、撮影室内に位置する被撮影者を被撮影者の好みに合った写真（証明写真、人物写真）が得られるような適切な拡散光（連続階調のやわらかい）光で照明することにより、被撮影者の好みに合った写真を容易に得ることができるボックス型の写真撮影装置の提供を目的とする。又、拡散光の被撮影者への照明バランスを切り替えることにより、異なる照明効果の写真が得られる写真撮影装置の提供を目的とする。
【００１１】
この他、本発明は、ポートレートライティング技法を利用することにより、撮影室内に位置する被撮影者を、照度の強弱差が少なく、かつ光強度分布が連続して変化する拡散光、所謂「連続階調の軟らかい光（明暗のコントラストの低い光）」で照明することにより、良好なる品質の証明写真（人物写真）が容易に得られる写真撮影装置の提供を目的とする。
【００１２】
【課題を解決するための手段】
請求項１の発明の写真撮影装置はボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、
該撮影室には、該被撮影者を照明する複数の照明手段と、
該撮影室内において種々の照明条件で撮影した複数の写真データを表示する表示手段と、該複数の写真データを参照して、該撮影室内の照明条件を変える為の入力信号を入力する入力手段と、が設けられていることを特徴としている。
【００１３】
請求項２の発明は、請求項１の発明において前記複数の照明手段のうち少なくとも１つの照明手段は、発光部と該発光部から放射される光束を拡散透過させる拡散部材と、該拡散部材の光入射側又は／及び光出射側に光束の一部を遮光する遮光部材とを有しており、該複数の照明手段からの光の出射方向を制御して、
該撮影室内の撮影空間の照度分布が非対称となるように設定していることを特徴としている。
【００１４】
請求項３の発明は、請求項１又は２の発明において前記複数の照明手段は、前記撮影室内の被撮影者の位置を基準としたとき、左右方向に非対称に配置し、該撮影室内の撮影空間の照度分布が非対称となるように設定していることを特徴としている。
【００１５】
請求項４の発明は、請求項１、２又は３のいずれか１項の発明において前記照明手段は１以上のストロボを有し、該ストロボの光出射側には１以上の光拡散板とＮＤフィルターが設けられていることを特徴としている。
【００１６】
請求項６の発明は、請求項１から５のいずれか１項の発明において前記複数の照明手段のうちの１つの照明手段は、前記撮影室の天井に設けられており、該天井に設けられた照明手段は、複数の発光部と拡散部材とを有し、該複数の発光部のうち１以上の発光部は、光出射面が前記仕切板方向に向いて配置され、他の１以上の発光部は光出射面が天井方向に向けられて配置され、該複数の発光部からの光は一度仕切板又は／及び天井壁で反射した後、該拡散部材を介して被撮影者を照明していることを特徴としている。
【００１７】
請求項８の発明の写真撮影装置はボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、該撮影室には、該被撮影者を照明する複数の照明手段が設けられており、このうち少なくとも１つの照明手段は、発光部と該発光部から放射される光束を拡散透過させる拡散部材と、該拡散部材の光入射側又は／及び光出射側に光束の一部を遮光する遮光部材とを有しており、該複数の照明手段からの光の出射方向を制御して、
該撮影室内の撮影空間の照度分布が非対称となるように設定していることを特徴としている。
【００１８】
請求項９の発明の写真撮影装置はボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、該撮影室には、該被撮影者を照明する複数の照明手段が設けられており、該複数の照明手段は、該撮影室内の被撮影者の位置を基準としたとき、左右方向に非対称に配置し、該撮影室内の撮影空間の照度分布が非対称となるように設定していることを特徴としている。
【００１９】
【発明の実施の形態】
図１は、本発明の実施形態１の要部斜視図、
図２は、本発明の実施形態１の要部平面図、
図３、図４は、図１の一部分の説明図である。
【００２０】
図中、１は証明写真や合成写真等を得る為の写真撮影装置であり、外形が略箱状（ボックス形状）より成っている。
【００２１】
２は仕切板であり、箱状のボックス内３を被撮影者４が位置する空間（撮影室）５とデジタルスチルカメラやビデオカメラ等の撮影手段８や画像処理機器１６等を収納する空間（機器格納室）６に分割している。
【００２２】
７は仕切板２に設けた撮影用の窓部であり、ハーフミラー７ａが設けられており、該窓部７のハーフミラー７ａを介して撮影手段（カメラ）８によって撮影者４の正面上半身を撮影している。又、ハーフミラー７ａを介して各種情報が被撮影者４に観察されるようになっている。
【００２３】
１１〜１３は各々照明手段であり、仕切板２の上方右側と下方中央部そして空間５の撮影者４が位置する下方中央部に設けており、被撮影者４を照明している。照明手段１１〜１３の詳細な構成については後述する。
【００２４】
仕切板２又は照明手段１２の一部には種々の照明条件で撮影した複数の写真データがサンプルとして表示手段９ａに示されている。
【００２５】
９は照明手段１２の上側の面に設けた撮影操作用の操作部材（入力手段）であり、撮影者４が表示手段９ａに表示した写真データを参照し、目的に合った又は自分の好みに合った写真が得られるデータを入力する。
【００２６】
１０は料金納入口である。
【００２７】
１４は椅子であり、被撮影者４が座り、被撮影者４は背当り（不図示）に当接して窓部７を直視するようにしている。
【００２８】
撮影手段８は、単一焦点距離レンズ又はズームレンズを有し、それによって撮影者４の像を撮像素子（ＣＣＤ）８ａや記録媒体に形成している。撮像手段８は静止画を得ている。
【００２９】
画像素子８ａからの画像信号は、画像処理機器１６に入力される。
【００３０】
画像処理機器１６は、公知の各種の処理手段を有し、画像素子８ａからの画像信号（電気信号）を処理している。
【００３１】
１５は制御手段を含むパソコンで各種の動作を制御している。
【００３２】
制御手段は入力手段９からの入力信号に基づいて、照明手段による撮影室５ａ内の照明条件を切り換えている。
【００３３】
１６はファンでなり、機器格納室６内の空気を換気している。
【００３４】
画像処理としては
例えば、カラー写真のときには、
撮影手段８で得られた画像情報を色の３原色であるＣ（シアン）、Ｍ（マゼンタ）、Ｙ（イエロー）に変換し、この変換された色データに基づいてカラー画像を形成している。
【００３５】
そしてプリント手段によってカラー画像情報をプリントして写真取り出し口１７に出力している。
【００３６】
本実施形態では、被撮影者４を照明する為に空間５内に３つの照明手段１１〜１３を用いるが２つ以上いくつあっても良い。
【００３７】
照明手段１１〜１３からの拡散光を撮影室５ａ内の壁面と天井に入射させ、壁面及び天井が新たな面光源となって面光源からの拡散光で被撮影者４を照明するようにしている。
【００３８】
照明手段１１〜１３からの光束で被撮影者４を左右非対称で連続階調の軟らかい光束（被照射物の各照射位置に対する光強度の強弱の差が小さく光強度が連続的に変化する拡散光）で照明している。
【００３９】
本実施形態における照明光は撮影者４が位置する後述する撮影空間５ａ内の領域でハイライト（光の強い領域）からシャドー（光の弱い領域）までの階調（トーン）が絞り値で５分の１から２分の１以内となるようにしている。即ち、露光差で最大でも２分の１以下となるようにしている。
【００４０】
このような、照明光で撮影された画像情報は、画像処理機器１６内の写真処理工程（画像処理工程）において、トーンカーブ、濃度、カラーバランスを調整し、シャープネス調整（鮮鋭度調整）を行いプリントし、出力している。
【００４１】
次に本実施形態で用いている照明手段１１〜１３について説明する。
【００４２】
便宜上図１〜図３に示すように、撮影室５内の各方向を被撮影者４の位置を中心として、左右方向（Ｗ）、奥行き方向（Ｌ）、高さ方向（Ｈ）と呼ぶ。
【００４３】
図５（Ａ）、（Ｂ）は、照明手段１１の正面図と要部斜視図である。照明手段１１は２本の蛍光灯１１ａ１、１１ａ２（１本又は２本以上あっても良い）を有し、光射出面には拡散板１１ｂが設けられている。上方（天井側）の光出射面の開口部１１Ｃの面積が奥行き方向（前方向）の光出射面の開口部１１ｄの面積に比べて広くなるように前方向の一部に遮光カバーより成る遮光部１１ｅを設けている。本実施形態では、上方の開口部１１Ｃには遮光部を設けていない。又、遮光部１１ｅの照明手段１１の幅方向（左右方向）は、空間５内の撮影空間５ａ内の幅方向の照度分布が左右非対称となるように光出射面１１ｄの左右方向の開口部の面積が左右非対称となるように部分的に設けている。
【００４４】
遮光部１１ｅの遮光形状（光を通過する領域と遮光する領域のパターン）は、左右非対称となっており、そのパターンは任意の形状がとりえる。
【００４５】
図６（Ａ）は照明手段１２の要部斜視図である。
【００４６】
照明手段１２は１本の蛍光灯１２ａを有し、蛍光灯１２ａからの光束は光出射面に設けた拡散板１２ｂを介して被撮影者４の下方部分を照射している。
【００４７】
照明手段１２は、撮影室５の前方下方に設けている。照明手段１２からの拡散板１２ｂを介した光束は、撮影室５の壁面で拡散反射して被撮影者４の上半身を間接的に照明するようにしている。拡散板１２ｂには、遮光部を設けていないが、必要に応じて拡散板１２ｂからの光束の照射強度が非対称となるように遮光部を設けても良い。
【００４８】
尚、入力手段９は照明手段１２の一部に設けているが、仕切板２の一部に設けても良い。
【００４９】
図６（Ｂ）は照明手段１２の他の実施形態の説明図である。
【００５０】
図６（Ｂ）の照明手段１２は天井側の面に遮光部１２Ｃを設け、斜下方の光出射面に拡散板１２ｂを設け、拡散板１２ｂの一部に遮光部１２ｄを設けている。照明手段１２の光源としては蛍光灯又はストロボを用いている。このような構成により図６（Ａ）で示す照明手段と同様の効果を得ている。
【００５１】
図７は照明手段１３の要部斜視図である。
【００５２】
照明手段１３は１本の蛍光灯１３ａを有し、上方の光出射面１３ｂには拡散板１３Ｃと遮光部１３ｄを設けている。被撮影者の後方に設ける照明手段１３は、被撮影者４に直接光束が照射されないように光出射面１３ｂが上方（天井）に向いている。上方へ出射する光束は、拡散板１３Ｃを介して出射させている。更に撮影空間５ａ内における左右方向の照度分布が左右非対称となるように左右方向の光束が出射できる開口部が左右非対称となるように遮光部１３ｄを設けている。
【００５３】
本実施形態では、撮影室５内の撮影室内５ａを図２〜図４に示すように高さ方向をＨ、幅方向をＷ、奥行き方向をＬとしたとき、
高さ方向は０．３Ｈ〜０．８Ｈ
幅方向（左右方向）は０．２Ｗ〜０．８Ｗ
奥行き方向は０．４Ｌ〜０．９Ｌ
の空間としている。そしてこの撮影空間５ａ内の照度分布が絞り値で表示するとき、２分の１〜５分の１の絞り値（１絞りが強度で２分の１又は２倍に相当）の範囲内となるように照明手段１１〜１３と、それらの位置、光束の出射、配光特性、拡散特性等を前述の如く設定している。
【００５４】
更に幅方向（Ｗ方向）において、左右非対称の照度分布となるように照明手段の数、位置、配光特性、拡散特性等を設定している。
【００５５】
撮影室５の壁面は、照明手段からの光束が拡散反射するように白色塗料が施されている。このとき壁面は微小な凹凸部より成る拡散面とし、この拡散面に白色塗料を施しても良い。照明手段１１〜１３の光出射面に遮光部を設ける代わりに、蛍光灯と光出射面との間又は／及び蛍光灯の管面に設けても良い。入力手段９からの入力信号によって、撮影者４の照明条件を変化させる場合には蛍光灯と光出射面に設ける遮光部との相対的位置を変化させるように、遮光部を駆動手段で変移可能とする他、照明手段の位置を変えても良い。
【００５６】
本実施形態では、照明手段１１〜１３は、３６Ｗの長尺形状の色温度５０００°Ｋに相当する程度の蛍光灯を用いている。光射出面側に遮蔽物を蛍光灯との相対的位置が不変又は可変となるように装着している。
【００５７】
ディフューザー（拡散板）は色温度の影響が少ない材料を用いている。
【００５８】
遮蔽物を駆動させる場合には駆動手段を照明手段の一部に設けるのが良い。遮蔽物は光透過部と光不透過部とを任意の間隔で相互に配列して構成しており、蛍光灯に対する位置を変化させることにより蛍光灯から射出され撮影者に照射される光束の強弱を制御しながら階調を形成している。
【００５９】
尚、本実施形態において遮蔽物の変わりに又は、遮蔽物とともに拡散板から成るディフューザーを蛍光灯の光出射面側に移動可能に設けても良い。このときのディフューザーは、光拡散特性が同一の１種類のものの他に光拡散特性が異なる複数の拡散板を組み合わせ光出射側に配置したものを使用しても良い。
【００６０】
照明手段で照明させる光束のホワイトバランスを調整する為に、光源の光出射面側に色温度調整用のフィルターを移動可能又は固定に設けても良い。
【００６１】
画像処理機器１６内にはマイコンが収納されており、ボックス内の撮影条件、照明条件等に合わせて、照明手段１１〜１３の配置や照射条件そして画像処理工程を調整している。
【００６２】
本実施形態では、撮影者を左右非対称の照明分布の光束で照明する為に、ボックス内の上方に設ける照明手段１１は、撮影者４から見てボックス内の右側前方上側に片寄って配置している。
【００６３】
又照明手段１２、１３はボックス内の中央前方下側と中央後方下側に配置している。これらの３つの照明手段１１〜１３の配置は、撮影者を左右非対称に照明することができる方法であれば、配置条件は任意である、尚照明手段を移動又は回動可能に構成しても良い。３つの照明手段１１〜１３の構成は同一又は異なっていても良い。少なくとも１つの照明手段から出射する光束の照明条件が可変となるように構成しても良い。
【００６４】
被撮影者が希望する画質の証明写真が得られるように撮影者が入力手段９からサンプル写真（種々の照明条件で撮影した複数の写真データ）を参考にして入力しそれに基づいて制御手段が照明手段の照明条件を変えて（例えば、点灯する蛍光灯の選択又は蛍光灯と遮蔽物（ディフューザ）との相対位置関係を変えて）撮影するようにしている。
【００６５】
一般に空間５内の撮影空間５ａ内の照明を被撮影者４に対して、左右対称で照射位置の光強度の強弱差の大きな光、所謂硬い光束で照射すると、得られる人物写真は画質が観察上あまり良くない。
【００６６】
そこで本実施形態では前述の如く照明手段の数及び配置そして照明手段から放射される光束の拡散状態を適切に設定することによって左右非対称の連続階調の光束を創出するようにしている。
【００６７】
照明手段に用いる光源としては、蛍光灯、白昼擬似灯、タングステン灯、スピードライト（以下「ストロボ」ともいう）等が適用できる。これらのいずれの光源を用いても光源手段からの拡散度を別手段で調整すれば連続階調のやわらかい光、即ちポートレートにおいて「ゴールデンタイム」と言われる朝の日の出又は日の出直後、夕方の日没直前の光を再現することができる。ことのときボックス内の撮影空間５ａ内で光源から放射させる光束の拡散状態及び照明手段の配置等をあまり変化させないで良い。
【００６８】
本実施形態では、撮影空間５ａ内で照明手段からの光を、天井や壁面等の拡散面で拡散させこれらの天井や壁面が全体として面光源となるようにし、この拡散反射を撮影空間５ａ内で多数行い、これらの多数の拡散反射した光で撮影者を照明するようにしている。本実施形態では、このようなハイエストライトからディープシャドウへ至る階調光を、撮影室５ａ内で、光源として点光源ではなく、面光源を用いて得ている。
【００６９】
又、後述するように複数のストロボをボックス内の複数位置に配置し、各ストロボから放射される光束を制御するようにしても良い。光源からの光束を柔らかい光に変換する方法としては光源からの強い光（被照射物に対して光強度の強弱の差が大きい）を拡散板や遮蔽部材等のディフューザーで覆うことにより、該ディフューザーで光を拡散させ、また直射光ではなく反射光として間接光に変えることにより、拡散度の高い柔らかい光（被照射物に対する光強度の強弱の差が小さい）を創出している。そしてより柔らかい光を創出するにこれを繰り返している。これによって弱く柔らかい光ができたら所謂ゴールデンタイムの光の創出に不要な光を部分的にカットしている。本実施形態では、これにより連続階調の美しいポートレートライトと表現する高い拡散度の光を創出している。
【００７０】
本実施形態は、このような照明手段をボックス型の自動写真撮影装置に適用し、良好に観察できる画質を有する人物写真（証明写真）を得ている。
【００７１】
尚本実施形態において照明手段１１〜１３に用いる光源として蛍光灯の代わりにストロボを用いても良い。又一部の照明手段に光源として蛍光灯を用い他の照明手段に光源としてスピードライトを用いても良い。
【００７２】
図８（Ａ），（Ｂ），（Ｃ）各々照明手段１１の光源としてストロボを用いた時の要部概略図、背面図、断面図である。図８（Ａ），（Ｂ），（Ｃ）において１１ａ３，１１ａ４はストロボであり、光出射面は、仕切り板２側に向いている。１１ｂは拡散板、１１ｅは遮光部である。
【００７３】
ストロボ１１ａ３，１１ａ４の光出射面から出射した光束は、拡散カバー１１ｆで拡散反射した後、撮影者４側の拡散板１１ｂで拡散反射して撮影者４を照明している。
【００７４】
本実施形態におけるストロボ１１ａ３（ストロボ１１ａ４も略同じ）は、図９（Ａ），（Ｂ）に示すように光源体１１ａ３１と、光源体１１ａ３１からの光束を拡散させる１つ以上の拡散板（フィルター）１１ａ３２、１１ａ３３と出射光の光強度を調整するＮＤフィルター１１ａ３４とを有している。
【００７５】
ＮＤフィルター１１ａ３４は光強度が不足するときは設けなくても良い、又、ＮＤフィルター１１ａ３４には部分的に遮光部を設けて光出射条件を変えている。照明手段１１〜１３に設けるストロボは、拡散板やＮＤフィルター等の数や拡散特性が互いに異なっていても良く、又全て同一の構成であっても良い。
【００７６】
図１０は照明手段１２に光源として蛍光灯の変わりにストロボを用いたときの要部概略図である。図１０において１２Ｃはストロボであり、図９に示す構成より成っている。１２ｅは遮光部、１２ｄは拡散部材である。ストロボ１２Ｃからの光束は遮光部１２ｅで拡散反射した後に拡散部材１２ｄを拡散透過し、光束の一部は床面で反射し、他の光束は直接被撮影者４を照明する。
【００７７】
図１１は照明手段１３に光源として蛍光灯の変わりにストロボを用いたときの要部概略図である。図１１において１３ｅはストロボであり、図９に示す構成より成っている。１１ｆは拡散部材としてのグラスファイバーディフューザー（乳白色の障子用グラスファイバー板）である。１１ｇは遮光カバーである。ストロボ１３ｅからの光束は拡散部材１１ｆを拡散透過した後、光出射面１３ｂより天井方向に出射する。
【００７８】
本実施形態では、以上のように照明手段の光源として蛍光灯の代わりにストロボを用いても前述したのと同様の良好なるライティングを行い、画質の良い写真を得ている。
【００７９】
図１２は、本発明の実施形態２の要部斜視図、実施形態２は実施形態１に比べて、照明手段の光源部にストロボを用い複数の照明手段のうち１つの照明手段を撮影室５の天井部分に設けた点が異なっており、その他の照明手段の配置構成は略同じである。尚ストロボの代わりに点光源（タングステン電灯、小型の蛍光灯）を用いることもある。このとき光の拡散度を同じにすれば良い。
【００８０】
２１は照明手段であり、複数のストロボ（図１２では６個のストロボ２１ａを用いているが２つ以上いくつでも良い。）と拡散板（乳白色グラスファイバーディフューザー）２４とを有している。
【００８１】
複数のストロボ２１ａの一部は、光出射方向が異なる方向に向いて配置されている。例えば１つの又は２つ以上のストロボをその光出射面を天井方向に向け、他の１つ又は２つ以上のストロボをその光出射面を仕切り板２方向に向けて配置している。複数のストロボ２１ａは左右方向にたいして光の出射が非対称に配置している。複数のストロボのうち１つ以上は、光出射面を天井方向に向けている。被撮影者４を照明する照明手段２１からの光束としては、複数のストロボ２１ａから出射し拡散板２４を通過した拡散光及び天井（拡散面となっているが又は塗料が施されている）で反射した後拡散板２４を通過した拡散光である。
【００８２】
尚照明手段２１の光源として複数のストロボの代わりに複数の蛍光灯を用いても良い。このとき複数の蛍光灯は、一部が仕切板２側に光出射面を向け他の一部が天井側に光出射面を向けるように配置するのが良い。
【００８３】
照明手段２２、２３は１つ以上のストロボと拡散板とを有し、拡散板の光出射面側には必要に応じて実施形態１と同様の遮光部を設けている。照明手段２２、２３の構成は実施形態１において説明した図６、図７の構成と略同じである。
【００８４】
本実施形態では入力手段からの入力情報に基づいて複数のストロボの発光状態、例えば発光させるストロボの数又は／及び光出射方向等を制御して、被撮影者の照明条件が可変となるようにしている。
【００８５】
尚、本実施形態において図１３に示すように天井に設けた拡散板２４の一部を遮光部材２５でおおい、拡散板２４からの拡散光が直接、被撮影者４に照射されないようにすると、被撮影者に柔らかい光が照射されるようになり更に良好なる画質の写真が得られる。
【００８６】
尚、照明手段２２、２３の光源としてストロボの代わりに実施形態１と同様の蛍光灯を用いても良い。
【００８７】
又、天井に設ける照明手段２１の光源として蛍光灯とストロボの双方を用いても良い。
【００８８】
又、撮影室５の側面の一部に３０ｃｍ〜４０ｃｍ四方の遮光部２６を設けると被撮影者４からの照明光が、柔らかくなり良好な画質の写真が得られる。
【００８９】
実施形態２では以上の構成により撮影空間５ａ内の照度分布が実施形態１と同様になるようにしている。
【００９０】
これによって実施形態１と同様の効果を得ている。撮影空間５ａ内の照度分布として、左右非対称でかつ、上方（天井側）が下方（床）に比べて照度が高くなるようにしても良い。
【００９１】
これによれば、更なる高画質の画像が得られる。又照明手段２３からの出射する光束の一部分が直接、被撮影者の肩部分を照明するように後方（背後）から照明光を被撮影者側（前方）に照射するように照明手段２３に光開口部や光反射部材を設けても良い。これによれば、撮影画像が立体的に観察されるようになってくるので好ましい。
【００９２】
図１４は、本発明の実施形態３の撮影室の要部斜視図、図１５は図１４の平面図、図１６、図１７は図１４の一部分の説明図である。
【００９３】
実施形態３は実施形態２に比べて、照明手段３１〜３３の光源部にストロボを用いた点が異なっている。本実施形態では複数の照明手段の照明条件を入力手段からの入力信号に基づいて変えている。撮影室５の天井部分には３つのストロボ３１ａ，３１ｂ，３１ｃを設けている。３１は照明手段であり、複数のストロボ（図１４では３つのストロボ３１ａ，３１ｂ，３１ｃを用いているが２つ以上いくつでも良い。）と拡散板（乳白色グラスファイバーディフューザー）２４とを有している。本実施形態では図１４〜図１６に示すように照明手段３１を３つのストロボより構成し、このうち１つのストロボ３１ｃをその光出射面を天井方向に向け、他の２つのストロボ３１ａ，３１ｂをその光出射面を仕切り板（壁）２方向に向けて配置している。
【００９４】
又２つのストロボ３１ａ，３１ｂは、光出射方向が互いに異なるように配置されている。更に２つのストロボ３１ａ，３１ｂは左右方向に対して非対称に配置している。ストロボ３１ｃは光出射面を天井方向に向けている。被撮影者４を照明する照明手段３１からの光束としては、２つのストロボ３１ａ，３１ｂから出射し壁面で反射した後拡散板２４を通過した拡散光と、ストロボ３１ｃからの光で天井（拡散面となっているか又は塗料が施されている）で反射した後拡散板２４を通過した拡散光である。
【００９５】
照明手段３２、３３は１以上のストロボと拡散板とを有し、拡散板の光出射面側には、必要に応じて実施形態１と同様の遮光部を設けている。
【００９６】
図１７は照明手段３２の説明図である。図１７は照明手段３２からの光束が床３４方向を照明した後、被撮影者（不図示）を照明する光束の拡散状態を示している。図１７において３５は遮蔽板であり、打ち壁３５ａは塗料による反射面又は拡散反射面となっている。遮蔽板３５はストロボ３２からの光束が直接、被撮影者４の上半身が位置する撮影空間５ａに入射しないようにしている。
【００９７】
本実施形態ではストロボ３２から出射した光束が仕切板２又は遮蔽板３５で反射し、床３４で反射した後、被撮影者４を下方から照明するようにしている。照明手段３３はストロボの光出射面が壁方向であり被撮影者４とは反対方向に向けている。
【００９８】
本実施形態では入力手段からの入力情報に基づいて複数のストロボの発光状態、例えば発光させるストロボの数又は／及び光射出方向等を制御して被撮影者の照明条件が可変となるようにしている。例えば通常の撮影のときは照明手段３１のストロボ３１ａ，３１ｂ，３１ｃと照明手段３３のストロボを発光させる。被撮影者が太っているときは、照明手段３１のストロボ３１ａ，３１ｃと照明手段３３のストロボを発光させると痩せてみえるように撮影することができる。逆に被撮影者が痩せているときは、照明手段３１〜３３の全てのストロボを発光させるとやや太りぎみに撮影することができる。
【００９９】
実施形態３では以上の構成により撮影空間５ａ内の照度分布が実施形態１と同様になるようにしている。これによって実施形態１と同様の効果を得ている。
【０１００】
図１８は本発明の実施形態４の要部概略図である。実施形態４は、所謂プリクラと称される写真撮影室５である。図１８において４１、４２は各々照明手段であり、図１４に示す照明手段３１、３２と同様の構成より成っている。４４は乳白色グラスファイバーディフューザー（拡散板）である。
【０１０１】
本実施形態は図１４の実施形態３に比べてバックライト用の照明手段を具備していない。
【０１０２】
写真室５の側面５ａ，５ｂ、背面５ｃは拡散面もしくは白色系塗料を施した開閉自在の壁部材又は白色系のカーテン又は白色系のビニールシート等から成っている。
【０１０３】
床４４は、照明手段４２からの拡散光が反射して被撮影者４を効率良く照明する為に白色系塗料が施されているか又は拡散面となっている。
【０１０４】
本実施形態によれば、以上のように高度なポートレートライティング技法を導入し、撮影光源、撮影レンズ、画像記録体の組み合わせを適切に設定することによりボックス内に連続階調の光を創出し、良好なる画質の人物写真を得ている。特に所謂ゴールデンタイムの光質で撮影した写真と同様な写真を得ている。
【０１０５】
以上の各実施形態においては撮像手段にビデオカメラを用い静止画の代わりに動画を得るようにしても良い。
【０１０６】
尚以上の各実施形態において被撮影者の顔の位置する領域に人物以外の物を載置しても良い、これによれば人物写真と同様な良好なる画質の物の写真が得られる。
【０１０７】
本実施形態によれば、以上のように各要素を設定することにより、次のような効果が得られる。
・照明光の照射状態及び照明光の色温度の管理（連続階調の光の照射及び色温度の管理と輝線スペクトルの蛍光灯  の照明条件）を良好に行うことができる。
・連続階調の柔らかい光を容易に創出することができ、より柔らかい光で照明条件をコントロールすることができる。
・被撮影者を左右非対称の所謂ゴールデンタイムの光で照明することができる。
【０１０８】
拡散光のコントロール技術により、ボックス内の拡散光のバランスを、光源の切り替えにより、簡単に変化させることができる。この方法で、写真を同じ被撮影者に共有でき、被撮影者が自由に選ぶことができる。
【０１０９】
【発明の効果】
本発明によれば、撮影室内に位置する被撮影者を被撮影者の好みに合った写真（証明写真、人物写真）が得られるような適切なる（連続階調のやわらかい）拡散光で照明することにより、被撮影者の好みに合った写真を容易に得ることができるボックス型の写真撮影装置を達成することができる。
【０１１０】
この他本発明によれば、ポートレートライティング技法を利用することにより、撮影室内に位置する被撮影者を、照度の強弱差が少なく、かつ光強度分布が連続して変化する拡散光、所謂「連続階調のやわらかい光」で照明することにより、良好なる品質の証明写真（人物写真）が容易に得られる写真撮影装置を達成することができる。
【図面の簡単な説明】
【図１】本発明の実施形態１の要部斜視図
【図２】本発明の実施形態１の要部平面図
【図３】図１の一部分の説明図
【図４】図１の一部分の説明図
【図５】図１の照明手段の説明図
【図６】図１の照明手段の説明図
【図７】図１の照明手段の説明図
【図８】図１の照明手段を他の実施形態に変更したときの説明図
【図９】図８のストロボの説明図
【図１０】図１の照明手段を他の実施形態に変更したときの説明図
【図１１】図１の照明手段を他の実施形態に変更したときの説明図
【図１２】本発明の実施形態２の要部斜視図
【図１３】図１２の一部分の説明図
【図１４】本発明の実施形態３の要部斜視図
【図１５】本発明の実施形態３の要部平面図
【図１６】図１４の照明手段の説明図
【図１７】図１４の照明手段の説明図
【図１８】本発明の実施形態４の要部斜視図
【符号の説明】
１          写真撮影装置
２          仕切板
３          ボックス
４          被撮影者
５          撮影室
６          機器格納室
７          窓部
８          撮像手段
９          入力手段
１０        料金納入口
１１        照明手段
１２        照明手段
１３        照明手段
１４        椅子
１５        パソコン
１６        ファン
１７        受け取り口
２１〜２３  照明手段
３１〜３３  照明手段
４１、４２  照明手段
９ａ        表示手段
【図１】
2004271961.tif 000003
【図２】
2004271961.tif 000004
【図３】
2004271961.tif 000005
【図４】
2004271961.tif 000006
【図５】
2004271961.tif 000007
【図６】
2004271961.tif 000008
【図７】
2004271961.tif 000009
【図８】
2004271961.tif 000010
【図９】
2004271961.tif 000011
【図１０】
2004271961.tif 000012
【図１１】
2004271961.tif 000013
【図１２】
2004271961.tif 000014
【図１３】
2004271961.tif 000015
【図１４】
2004271961.tif 000016
【図１５】
2004271961.tif 000017
【図１６】
2004271961.tif 000018
【図１７】
2004271961.tif 000019
【図１８】
2004271961.tif 000020
【手続補正書】
【提出日】平成15年4月10日(2003.4.10)
【手続補正１】
【補正対象書類名】明細書
【補正対象項目名】特許請求の範囲
【補正方法】変更
【補正の内容】
【特許請求の範囲】
【請求項１】
ボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、
該撮影室には、該被撮影者を照明する複数の照明手段と、
該撮影室内において種々の照明条件で撮影した複数の写真データを表示する表示手段と、該複数の写真データを参照して、該撮影室内の照明条件を変える為の入力信号を入力する入力手段と、が設けられていることを特徴とする写真撮影装置。
【請求項２】
前記複数の照明手段のうち少なくとも１つの照明手段は、発光部と該発光部から放射される光束を拡散透過させる拡散部材と、該拡散部材の光入射側又は／及び光出射側に光束の一部を遮光する遮光部材とを有しており、該複数の照明手段からの光の出射方向を制御して、該撮影室内の撮影空間の照度分布が非対称となるように設定していることを特徴とする請求項１の写真撮影装置。
【請求項３】
前記複数の照明手段は、前記撮影室内の被撮影者の位置を基準としたとき、左右方向に非対称に配置し、該撮影室内の撮影空間の照度分布が非対称となるように設定していることを特徴とする請求項１又は２の写真撮影装置。
【請求項４】
前記照明手段は１以上のストロボを有し、該ストロボの光出射側には１以上の光拡散板とＮＤフィルターが設けられていることを特徴とする請求項１、２又は３の写真撮影装置。
【請求項５】
前記入力手段からの入力信号により、前記複数の照明手段の照明条件を変えて、前記撮影室内の照度分布を切り換える制御手段を有していることを特徴とする請求項１から４のいずれか１項の写真撮影装置。
【請求項６】
前記複数の照明手段のうちの１つの照明手段は、前記撮影室の天井に設けられており、該天井に設けられた照明手段は、複数の発光部と拡散部材とを有し、該複数の発光部のうち１以上の発光部は、光出射面が前記仕切板方向に向いて配置され、他の１以上の発光部は光出射面が天井方向に向けられて配置され、該複数の発光部からの光は一度仕切板又は／及び天井壁で反射した後、該拡散部材を介して被撮影者を照明していることを特徴とする請求項１から５のいずれか１項の写真撮影装置。
【請求項７】
前記複数の照明手段のうちの１つの照明手段は、前記撮影室の天井に設けられており、該天井に設けられた照明手段は、複数のストロボと拡散部材とを有し、該複数のストロボのうち２つのストロボは、光出射面が前記仕切板方向に向いて配置され、１以上のストロボは光出射面が天井方向に向けられて配置され、該複数のストロボからの光は一度仕切板又は／及び天井壁で反射した後、該拡散部材を介して被撮影者を照明していることを特徴とする請求項１から５のいずれか１項の写真撮影装置。
【請求項８】
前記複数の照明手段のうちの１つの照明手段は、前記撮影室の天井に設けられており、該天井に設けられた照明手段は、複数の発光部と拡散部材と該拡散部材を通過した拡散光が直接該撮影室内の被撮影者に照射するのを防止する為の遮光部材とを有していることを特徴とする１から５のいずれか１項の写真撮影装置。
【請求項９】
ボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、
該撮影室には、該被撮影者を照明する複数の照明手段が設けられており、このうち少なくとも１つの照明手段は、発光部と該発光部から放射される光束を拡散透過させる拡散部材と、該拡散部材の光入射側又は／及び光出射側に光束の一部を遮光する遮光部材とを有しており、該複数の照明手段からの光の出射方向を制御して、該撮影室内の撮影空間の照度分布が非対称となるように設定していることを特徴とする写真撮影装置。
【請求項１０】
前記遮光部材は、前記撮影室内の被撮影者の位置を基準としたとき、左右方向に非対称に配置した遮光部を有していることを特徴とする請求項９の写真撮影装置。
【請求項１１】
前記複数の照明手段のうちの１つの照明手段は、前記撮影室の天井に設けられており、該天井に設けられた照明手段は、複数の発光部と拡散部材と該拡散部材を通過した拡散光が直接該撮影室内の被撮影者に照射するのを防止する為の遮光部材を有していることを特徴とする請求項９又は１０の写真撮影装置。
【請求項１２】
ボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、該撮影室には、該被撮影者を照明する複数の照明手段が設けられており、該複数の照明手段は、該撮影室内の被撮影者の位置を基準としたとき、左右方向に非対称に配置し、該撮影室内の撮影空間の照度分布が非対称となるように設定していることを特徴とする写真撮影装置。
【請求項１３】
前記複数の照明手段のうち少なくとも１つの照明手段は、発光部と、該発光部から放射される光束を拡散透過させる拡散部材と、該拡散部材の光入射側又は／及び光出射側に光束の一部を遮光する遮光部材とを有していることを特徴とする請求項１２の写真撮影装置。
【請求項１４】
前記遮光部材は、前記撮影室内の被撮影者の位置を基準としたとき、左右方向に非対称に配置した遮光部を有していることを特徴とする請求項１２又は１３の写真撮影装置。
【請求項１５】
被撮影者を照明する為の照明装置であって、該照明装置は、発光部と、該発光部から放射される光束を拡散透過させる拡散部材と、該拡散部材の光入射側又は／及び光出射側に光束の一部を遮光する遮光部材とを有していることを特徴とする照明装置。
【請求項１６】
前記遮光部材は、前記被撮影者の位置を基準としたとき、該被撮影者の照度分布が左右方向で非対称となるように設定していることを特徴とする請求項１５の照明装置。
【請求項１７】
前記遮光部材は、前記被撮影者の位置を基準としたとき、左右非対称に配置した遮光部を有していることを特徴とする請求項１５又は１６の照明装置。
【手続補正２】
【補正対象書類名】明細書
【補正対象項目名】００１５
【補正方法】変更
【補正の内容】
【００１５】
請求項４の発明は請求項１、２又は３の発明において前記照明手段は１以上のストロボを有し、該ストロボの光出射側には１以上の光拡散板とＮＤフィルターが設けられていることを特徴としている。
請求項５の発明は請求項１から４のいずれか１項の発明において前記入力手段からの入力信号により、前記複数の照明手段の照明条件を変えて、前記撮影室内の照度分布を切り換える制御手段を有していることを特徴としている。
請求項６の発明は請求項１から５のいずれか１項の発明において前記複数の照明手段のうちの１つの照明手段は、前記撮影室の天井に設けられており、該天井に設けられた照明手段は、複数の発光部と拡散部材とを有し、該複数の発光部のうち１以上の発光部は、光出射面が前記仕切板方向に向いて配置され、他の１以上の発光部は光出射面が天井方向に向けられて配置され、該複数の発光部からの光は一度仕切板又は／及び天井壁で反射した後、該拡散部材を介して被撮影者を照明していることを特徴としている。
請求項７の発明は、請求項１から５のいずれか１項の発明において前記複数の照明手段のうちの１つの照明手段は、前記撮影室の天井に設けられており、該天井に設けられた照明手段は、複数のストロボと拡散部材とを有し、該複数のストロボのうち２つのストロボは、光出射面が前記仕切板方向に向いて配置され、１以上のストロボは光出射面が天井方向に向けられて配置され、該複数のストロボからの光は一度仕切板又は／及び天井壁で反射した後、該拡散部材を介して被撮影者を照明していることを特徴としている。
請求項８の発明は、請求項１から５のいずれか１項の発明において前記複数の照明手段のうちの１つの照明手段は、前記撮影室の天井に設けられており、該天井に設けられた照明手段は、複数の発光部と拡散部材と該拡散部材を通過した拡散光が直接該撮影室内の被撮影者に照射するのを防止する為の遮光部材とを有していることを特徴としている。
【手続補正３】
【補正対象書類名】明細書
【補正対象項目名】００１６
【補正方法】変更
【補正の内容】
【００１６】
請求項９の発明の写真撮影装置はボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、
該撮影室には、該被撮影者を照明する複数の照明手段が設けられており、このうち少なくとも１つの照明手段は、発光部と該発光部から放射される光束を拡散透過させる拡散部材と、該拡散部材の光入射側又は／及び光出射側に光束の一部を遮光する遮光部材とを有しており、該複数の照明手段からの光の出射方向を制御して、該撮影室内の撮影空間の照度分布が非対称となるように設定していることを特徴としている。
請求項１０の発明は、請求項９の発明において前記遮光部材は、前記該撮影室内の被撮影者の位置を基準としたとき、左右方向に非対称に配置した遮光部を有していることを特徴としている。
請求項１１の発明は、請求項９又は１０の発明において前記複数の照明手段のうちの１つの照明手段は、前記撮影室の天井に設けられており、該天井に設けられた照明手段は、複数の発光部と拡散部材と該拡散部材を通過した拡散光が直接該撮影室の被撮影者に照射するのを防止するための遮光部材を有していることを特徴としている。


【手続補正４】
【補正対象書類名】明細書
【補正対象項目名】００１７
【補正方法】変更
【補正の内容】
【００１７】
請求項１２の発明の写真撮影装置は、ボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、該撮影室には、該被撮影者を照明する複数の照明手段が設けられており、該複数の照明手段は、該撮影室内の被撮影者の位置を基準としたとき、左右方向に非対称に配置し、該撮影室内の撮影空間の照度分布が非対称となるように設定していることを特徴としている。
請求項１３の発明は、請求項１２の発明において前記複数の照明手段のうち少なくとも１つの照明手段は、発光部と、該発光部から放射される光束を拡散透過させる拡散部材と、該拡散部材の光入射側又は／及び光出射側に光束の一部を遮光する遮光部材とを有していることを特徴としている。
請求項１４の発明は、請求項１２又は１３の発明において前記遮光部材は、前記撮影室内の被撮影者の位置を基準としたとき、左右方向に非対称に配置した遮光部を有していることを特徴としている。


【手続補正５】
【補正対象書類名】明細書
【補正対象項目名】００１８
【補正方法】変更
【補正の内容】
【００１８】
請求項１５の発明の照明装置は、被撮影者を照明する為の照明装置であって、該照明装置は、発光部と、該発光部から放射される光束を拡散透過させる拡散部材と、該拡散部材の光入射側又は／及び光出射側に光束の一部を遮光する遮光部材とを有していることを特徴としている。
請求項１６の発明は、請求項１５の発明において前記遮光部材は、前記被撮影者の位置を基準としたとき、該被撮影者の照度分布が左右方向で非対称となるように設定していることを特徴としている。
請求項１７の発明は、請求項１５又は１６の発明において前記遮光部材は前記被撮影者の位置を基準としたとき、左右非対称に配置した遮光部を有していることを特徴としている。


【手続補正６】
【補正対象書類名】明細書
【補正対象項目名】００２３
【補正方法】変更
【補正の内容】
【００２３】
１１〜１３は各々照明手段（照明装置）であり、仕切板２の上方右側と下方中央部そして空間５の撮影者４が位置する下方中央部に設けており、被撮影者４を照明している。照明手段１１〜１３の詳細な構成については後述する。




【手続補正書】
【提出日】平成15年7月1日(2003.7.1)
【手続補正１】
【補正対象書類名】明細書
【補正対象項目名】請求項６
【補正方法】変更
【補正の内容】
【請求項６】
前記複数の照明手段のうちの１つの照明手段は、前記撮影室の天井に設けられており、該天井に設けられた照明手段は、複数の発光部と拡散部材とを有し、該複数の発光部のうち１以上の発光部は、光出射面が撮影室と機器格納室とを仕切る仕切板方向に向いて配置され、他の１以上の発光部は光出射面が天井方向に向けられて配置され、該複数の発光部からの光は一度仕切板又は／及び天井壁で反射した後、該拡散部材を介して被撮影者を照明していることを特徴とする請求項１から５のいずれか１項の写真撮影装置。
【手続補正２】
【補正対象書類名】明細書
【補正対象項目名】請求項７
【補正方法】変更
【補正の内容】
【請求項７】
前記複数の照明手段のうちの１つの照明手段は、前記撮影室の天井に設けられており、該天井に設けられた照明手段は、複数のストロボと拡散部材とを有し、該複数のストロボのうち２つのストロボは、光出射面が撮影室と機器格納室とを仕切る仕切板方向に向いて配置され、１以上のストロボは光出射面が天井方向に向けられて配置され、該複数のストロボからの光は一度仕切板又は／及び天井壁で反射した後、該拡散部材を介して被撮影者を照明していることを特徴とする請求項１から５のいずれか１項の写真撮影装置。
【手続補正３】
【補正対象書類名】明細書
【補正対象項目名】００１５
【補正方法】変更
【補正の内容】
【００１５】
請求項４の発明は請求項１、２又は３の発明において前記照明手段は１以上のストロボを有し、該ストロボの光出射側には１以上の光拡散板とＮＤフィルターが設けられていることを特徴としている。
請求項５の発明は請求項１から４のいずれか１項の発明において前記入力手段からの入力信号により、前記複数の照明手段の照明条件を変えて、前記撮影室内の照度分布を切り換える制御手段を有していることを特徴としている。
請求項６の発明は請求項１から５のいずれか１項の発明において前記複数の照明手段のうちの１つの照明手段は、前記撮影室の天井に設けられており、該天井に設けられた照明手段は、複数の発光部と拡散部材とを有し、該複数の発光部のうち１以上の発光部は、光出射面が撮影室と機器格納室とを仕切る仕切板方向に向いて配置され、他の１以上の発光部は光出射面が天井方向に向けられて配置され、該複数の発光部からの光は一度仕切板又は／及び天井壁で反射した後、該拡散部材を介して被撮影者を照明していることを特徴としている。
請求項７の発明は、請求項１から５のいずれか１項の発明において前記複数の照明手段のうちの１つの照明手段は、前記撮影室の天井に設けられており、該天井に設けられた照明手段は、複数のストロボと拡散部材とを有し、該複数のストロボのうち２つのストロボは、光出射面が撮影室と機器格納室とを仕切る仕切板方向に向いて配置され、１以上のストロボは光出射面が天井方向に向けられて配置され、該複数のストロボからの光は一度仕切板又は／及び天井壁で反射した後、該拡散部材を介して被撮影者を照明していることを特徴としている。
請求項８の発明は、請求項１から５のいずれか１項の発明において前記複数の照明手段のうちの１つの照明手段は、前記撮影室の天井に設けられており、該天井に設けられた照明手段は、複数の発光部と拡散部材と該拡散部材を通過した拡散光が直接該撮影室内の被撮影者に照射するのを防止する為の遮光部材とを有していることを特徴としている。